(57)【要約】【課題】    製造が容易かつ安価で、まとめての出荷が可能な、一回量の材料を内容するアプリケータを提供する。  【解決方法】  アプリケータ（１０；１１０）は、アプリケータ端部（１２；１１２；２１２）と材料端部（１４；１１４；２１４）を設けている。材料端部（１４；１１４；２１４）は、アプリケータ端部（１２；１１２；２１２）によって付加される材料（２６；１２６）を保持するための容器を形成している。アプリケータ（１０；１１０）の材料端部（１４；１１４；２１４）をハンドル部分（２２；１２２；２２２）から分離すると、アプリケータ（１０；１１０）のアプリケータ端部（１２；１１２；２１２）を内部に浸すための容器（３２；１３２）が形成される。本発明は、特に薬剤、特定的には歯科材料の分配に適用可能である。一回投薬分の材料がアプリケータ内で一体形成され、使用時まで密封される。
2006524103.tif 000002
【特許請求の範囲】
【請求項１】
材料を内容するアプリケータ装置であり：
ハンドル部分と；
前記ハンドル部分に取り付けたアプリケータと；さらに、
前記ハンドル部分にもろく取り付けられた材料部分とを備えており、
前記材料部分が前記ハンドル部分から分離され、材料が露出するアプリケータ装置。
【請求項２】
前記材料部分と前記ハンドル部分の間に配置された刻み目ラインをさらに備えており、
前記材料部分が前記ハンドル部分から分離可能である、請求項１に記載の材料を内容するアプリケータ装置。
【請求項３】
前記材料部分と前記ハンドル部分の間に配置された溝をさらに備えており、
前記材料部分が前記ハンドル部分から分離可能である、請求項１に記載の材料を内容するアプリケータ装置。
【請求項４】
前記アプリケータが毛付きアプリケータを備えている、請求項１に記載の材料を内容するアプリケータ装置。
【請求項５】
前記アプリケータがブリストルブラシ・アプリケータを備えている、請求項１に記載の材料を内容するアプリケータ装置。
【請求項６】
前記アプリケータがボールアプリケータを備えている、請求項１に記載の材料を内容するアプリケータ装置。
【請求項７】
前記アプリケータがループアプリケータを備えている、請求項１に記載の材料を内容するアプリケータ装置。
【請求項８】
前記アプリケータが突起部を設けた丸い部分を備えている、請求項１に記載の材料を内容するアプリケータ装置。
【請求項９】
上記材料が歯科材料を備えている、請求項１に記載の材料を内容するアプリケータ装置。
【請求項１０】
前記ハンドル部分がシリンダを備えている、請求項１に記載の材料を内容するアプリケータ装置。
【請求項１１】
前記材料部分が：
前記ハンドル部分の一端に密封的に取り付けられた材料室と；さらに、
前記材料室の、前記ハンドル部分と対向する他端に配置された端部シールとを備えており、
前記材料部分が最初は密封されており、前記ハンドル部分を取り除くことにより開口することが可能である、請求項１に記載の材料を内容するアプリケータ装置。
【請求項１２】
材料を内容するアプリケータ装置であり：
第１端部と第２端部を設けたハンドル部分を備え；
前記ハンドル部分の第１端部に取り付けられアプリケータ部分をさらに備え；
前記ハンドル部分の端部にもろく取り付けられた材料部分をさらに備え、前記材料部分が、材料を内容する室を設けており、
前記ハンドル部分から材料部分を分離することにより、材料が前記アプリケータ部分上に配置され、表面に付加する材料を内容するアプリケータ装置。
【請求項１３】
前記アプリケータが毛付きアプリケータを備えている、請求項１２に記載の材料を内容するアプリケータ装置。
【請求項１４】
前記材料部分の側方寸法が前記ハンドル部分の側方寸法よりも長い、請求項１２に記載の材料を内容するアプリケータ装置。
【請求項１５】
前記材料部分が：
最初は前記ハンドル部分の一端に密封的に取り付けられている材料室を備え；
前記ハンドル部分と前記材料部分の間に配置された溝をさらに備え；さらに、
前記材料室の、前記ハンドル部分と対向する他端に配置された端部シールをさらに備えており、
前記材料部分が最初は密封されており、前記ハンドル部分を取り除くことで開口することが可能である、請求項１２に記載の材料を内容するアプリケータ装置。
【請求項１６】
前記材料部分に取り付けられた基部をさらに備えている、請求項１２に記載の材料を内容するアプリケータ装置。
【請求項１７】
分配する材料を内容するアプリケータ装置であり：
アプリケータ端部と材料端部を設けた細長いハンドルを備え；
前記アプリケータ端部上に形成されたアプリケータをさらに備え；
前記材料端部に取り付けられた材料容器をさらに備え、前記材料容器が材料を保持するための室を設けており；さらに、
前記細長いいハンドル内に一体形成され、前記細長いハンドルと前記材料容器を分離する壊れ易い部分をさらに備えており、
これにより、前記材料容器を前記細長いハンドルから分離すると、前記材料容器に開口部が形成され、前記アプリケータにより材料を付加することが可能になる、材料を内容するアプリケータ装置。
【請求項１８】
前記壊れ易い部分が溝を備えている、請求項１７に記載の材料を内容するアプリケータ装置。
【請求項１９】
前記アプリケータが毛付きアプリケータを備えている、請求項１７に記載の材料を内容するアプリケータ装置。
【請求項２０】
前記アプリケータがブリストルブラシ・アプリケータを備えている、請求項１７に記載の材料を内容するアプリケータ装置。
【請求項２１】
前記アプリケータがボールアプリケータを備えている、請求項１７に記載の材料を内容するアプリケータ装置。
【請求項２２】
前記アプリケータがループアプリケータを備えている、請求項１７に記載の材料を内容するアプリケータ装置。
【請求項２３】
前記アプリケータが突起部を設けた丸い部分を備えている、請求項１７に記載の材料を内容するアプリケータ装置。
【請求項２４】
分配する材料を内容するアプリケータ装置であり：
アプリケータ端部と材料端部を設けた細長いハンドルを備え；
前記アプリケータ端部上に形成されたアプリケータをさらに備え；
前記細長いハンドルと前記アプリケータ端部の間に配置されたネック部をさらに備えており、前記アプリケータが前記ハンドルに対して角度を付けて配置されており；
前記細長いハンドルの材料端部内に形成され、材料を内容する材料室をさらに備え、前記材料室が、最初は前記細長いハンドルと材料端部の間に密封されており；さらに、
前記細長いハンドルの壁内に一体形成され、前記細長いハンドルと前記材料端部の間に配置された壊れ易い部分をさらに備えており、
前記材料端部を前記細長いハンドルから分離すると、前記材料室内に開口部が形成され、前記アプリケータが前記材料室内に配置され、前記アプリケータで材料を付加することができるようになる、分配する材料を内容するアプリケータ装置。
【請求項２５】
前記アプリケータが前記ネックから、前記材料室の軸深度よりも長い軸距離で離間しており、
前記アプリケータが前記ハンドルに対して角度を付けて配置されている場合に、前記アプリケータを前記材料室内に挿入することが可能である、請求項２４に記載の分配する材料を内容するアプリケータ装置。
【請求項２６】
前記壊れ易い部分が溝である、請求項２４に記載の分配する材料を内容するアプリケータ装置。
【請求項２７】
前記アプリケータが毛付きアプリケータを備えている、請求項２４に記載の分配する材料を内容するアプリケータ装置。
【請求項２８】
前記アプリケータがブリストルブラシ・アプリケータを備えている、請求項２４に記載の分配する材料を内容するアプリケータ装置。
【請求項２９】
前記アプリケータがボールアプリケータを備えている、請求項２４に記載の分配する材料を内容するアプリケータ装置。
【請求項３０】
前記アプリケータがループアプリケータを備えている、請求項２４に記載の分配する材料を内容するアプリケータ装置。
【請求項３１】
前記アプリケータが突起部を設けた丸い部分を備えている、請求項２４に記載の分配する材料を内容するアプリケータ装置。
【請求項３２】
上記材料が歯科材料である、請求項２４に記載の分配する材料を内容するアプリケータ装置。
【請求項３３】
材料を内容するアプリケータ装置であり：
第１端部と第２端部を設けたハンドル部分を備え；
前記ハンドル部分の第1端部に取り付けられたアプリケータ部分をさらに備え；
前記ハンドル部分の第２端部にもろく取り付けられた材料部分をさらに備え、前記材料部分が材料を内容した室を設けており；さらに、
前記材料部分に取り付けられた支持フランジをさらに備えており、
これにより、材料部分が前記ハンドル部分から分離されると、材料部分が前記支持フランジにより直立に保持されることが可能になり、材料を前記アプリケータ部分に配置でき、表面に付加できるようになる、材料を内容するアプリケータ装置。
【請求項３４】
前記アプリケータが毛付きアプリケータを備えている、請求項３３に記載の材料を内容するアプリケータ装置。
【請求項３５】
前記材料部分の側方寸法が前記ハンドル部分の側方寸法よりも大きい、請求項３３に記載の材料を内容するアプリケータ装置。
【請求項３６】
材料を内容するアプリケータ装置であり：
アプリケータハンドル部分を備え；
前記アプリケータハンドル部分に取り付けられたアプリケータをさらに備え；
最初は前記アプリケータハンドル部分に取り付けられている材料ハンドル部分をさらに備え；
前記アプリケータハンドル部分と前記材料ハンドル部分の間に配置された第１の壊れ易い部分をさらに備え、これにより、前記アプリケータハンドル部分を前記材料ハンドル部分から分離することが可能になっており；
最初は前記材料ハンドル部分に取り付けられている材料部分をさらに備え、前記材料部分が、材料を内容した材料室を設けており；さらに、
前記材料ハンドル部分と前記材料部分の間に配置された第２の壊れ易い部分をさらに備え、これにより、前記材料ハンドル部分を前記材料部分から分離させて、材料を露出し、材料を付加するべくアプリケータを使用することができるようになる、材料を内容するアプリケータ装置。
【請求項３７】
前記アプリケータが毛付きアプリケータを備えている、請求項３６に記載の材料を内容するアプリケータ装置。
【請求項３８】
前記アプリケータがボールアプリケータを備えている、請求項３６に記載の材料を内容するアプリケータ装置。
【請求項３９】
前記アプリケータがブリストルブラシ・アプリケータを備えている、請求項３６に記載の材料を内容するアプリケータ装置。
【請求項４０】
前記アプリケータがループアプリケータを備えている、請求項３６に記載の材料を内容するアプリケータ装置。
【請求項４１】
前記アプリケータが突起を設けた丸い部分を備えている、請求項３６に記載の材料を内容するアプリケータ装置。
【請求項４２】
前記壊れ易い部分が、アプリケータ装置を区切る溝を備えている、請求項３６に記載の材料を内容するアプリケータ装置。
【請求項４３】
材料を付加する方法であり：
アプリケータ端部と材料端部を設けたアプリケータハンドルを形成するステップと；
アプリケータハンドルの材料端部内に材料を密封するステップと；
アプリケータハンドルと前記材料端部の間に壊れ易い部分を形成するステップと；
壊れ易い部分に沿って、アプリケータハンドルから材料端部を分離し、材料端部に開口部を形成し、材料を露出させるステップと；さらに、
アプリケータ端部を前記材料端部内に挿入するステップとを含んでおり、
所定の一回量の材料を付加することが可能である、材料を付加する方法。
【発明の詳細な説明】
【技術分野】
【０００１】
本発明は、概して使い捨てアプリケータに関し、より詳細には一回量の材料を内容したアプリケータに関する。
【背景技術】
【０００２】
表面に付加する材料を分配するために使用される様々な種類のアプリケータが数多く存在する。これら付加される材料は、医療または歯科処置の最中に使用される薬剤、または特に歯科材料である。材料を内容するこうしたアプリケータタイプ装置の１つが、２０００年５月９日付けでDragon等に発行された米国特許第６、０５９、５７０号、"Dental Container Type Applicator"に開示されている。この特許では、カプセル形態の歯科用の容器タイプアプリケータが開示されている。カプセルから材料が押し出され、排出ノズルに接着させた微細繊維または毛の補助によって付加される。
【０００３】
別のアプリケータタイプのカプセルが、２０００年８月８日付けで提出され、Discko, Jrに発行された米国特許第６、０９９、３０７号、"Dental Capsule for Containing and Dispensing Low Viscosity Dental Material and Method of Filing and Applying said Low Viscosity Material"に開示されている。この特許では、低粘性または液状の歯科材料を分配する歯科カプセルが開示されている。カプセル本体部分内には、スポンジまたは多孔性発泡体状の材料が内蔵されている。液体または低粘性材料が浸透したスポンジまたは多孔性発泡体状の材料を押し出して、液体または低粘性材料を押し出すための交換可能なピストンを使用している。
【０００４】
材料を付加する別のアプリケータが、２００２年５月７日付けでFischer等に発行された米国特許第６、３８２、９７２号、"Cushioned, Fiber-Covered Dental Delivery Tips"に開示されている。この特許では、歯科材料を分配または付加するための様々なアプリケータまたは先端部分が開示されている。或る実施形態では、アプリケータの一部分内に材料が内容されている。アプリケータのピストン型部分を交換することで、材料が導管およびアプリケータの先端部分を通って強制的に排出される。
【発明の開示】
【発明が解決しようとする課題】
【０００５】
これらのアプリケータおよび装置は材料の分配においては有用であるが、その一方で、材料を分配するための交換可能な部材またはピストンを設けた複数の部品から成るアプリケータを必要とする。これはいくつかの用途では望ましいが、単純にブラシまたはアプリケータを材料内に浸し、材料の分配および付加の調節を改善することが有利であるかもしれない。さらに、材料を付加するための単純コスト効率方法としてブラシを使用することができる。このようなブラシの１つが、２０００年４月１８付けで提出され、Disckoに発行された米国特許第６、０４９、９３４号、"Disposable Dental Applicator"に開示されている。この特許では、２つの別個の独立アプリケータを形成するべく破損可能な２つの端部を備えたアプリケータを開示している。この破損後に、アプリケータを、材料を付加するために使用することができる。これは非常にコスト効率的かつ単純なアプリケータである。しかし、材料をアプリケータと共に保存しておくことができないために不便である。この問題への解決法が、２００１年１２月１１日付けでDiscko, Jrに発行された米国特許第６、３２８、１５９号、"Single Patient Dose Medicament Dispenser with Applicator"に開示されている。この特許では、分配する材料を内容している材料分配トレイ内に保持されるアプリケータを開示している。トレイにはアプリケータと材料を保護するカバーがついている。材料はアプリケータに内容されるが、パッケージが比較的かさばるため、多量数を収納および出荷することが難しい。
【０００６】
別のアプリケータが、２００１年９月４日付けでD'Alessio等に発行された米国特許第６、２８３、９３３号、"Applicator For Dispensing Liquids"に開示されている。この特許では、材料を内容した破損可能なアンプルを備えるアプリケータを開示している。アプリケータの本体部分をきつく握ると、アンプルが破損し、アンプル内に内容された液体が開放される。すると、液体がアプリケータ内部を移動してアプリケータ綿球へ到達し、付加できるようになる。
【０００７】
これらのアプリケータは多様に異なる材料を適切に付加してきたが、これらは欠点のうちには入らない。いくつかのアプリケータは複数の部品で構成されており、その製造が比較的高価である。これ以外のアプリケータは比較的大型であり、多量数の収納および出荷が困難である。
【０００８】
１回使い捨てアプリケータの製造において、アプリケータが単純で、その製造が容易であり、廃棄するアプリケータ材料または分配する材料が少ないことが重要である。したがって、製造が容易かつ安価で、まとめての出荷が可能な、一回量の材料を内容するアプリケータを提供することが必要である。
【課題を解決するための手段】
【０００９】
本発明は、１回量の材料を内容するための室が一端に内蔵的に形成されており、他端に形成されたアプリケータによって分配することでこの材料に容易に接触することができる、使い捨てアプリケータパッケージである。細長いハンドル上にアプリケータ端部が形成されている。材料は、アプリケータパッケージの材料端部内に最初に密封される。壊れ易い部分によって、アプリケータの材料端部をアプリケータパッケージのハンドルから分離することができる。材料端部をアプリケータパッケージのハンドルから分離すると、材料端部内の、材料を内容している室が開口し、内部にアプリケータ端部を浸すことができるようになる。
【００１０】
したがって、本発明の目的は、製造が単純かつ容易なアプリケータパッケージを提供することである。
【００１１】
本発明のさらなる目的は、分配する１回量の材料を保持する自己内容式のアプリケータパッケージを提供することである。
【００１２】
本発明の１つの利点は、分配する１回量の材料を容易に収納でき、この材料に容易に接触できることである。
【００１３】
本発明のさらなる利点は、多量数の梱包および収納を、狭い空間内に容易に行えることである。
【００１４】
本発明の１つの特徴は、材料が、アプリケータパッケージの一端に設けた室内に密封されていることである。
【００１５】
本発明の別の特徴は、アプリケータパッケージの材料端部付近の壊れ易い部分により、材料端部をアプリケータ端部から分離し、アプリケータ端部が、付加する材料に接触できるようになることである。
【００１６】
これらおよび他の目的、利点、特徴は、以降のより詳細な記述を斟酌することで容易に明白となるだろう。
【発明の効果】
【００１７】
本発明のアプリケータ装置は、ハンドル部分の第１端部に取り付けられたアプリケータ部分を備え、ハンドル部分の端部にもろく取り付けられた材料部分をさらに備え、材料部分が、材料を内容する室を設けており、ハンドル部分から材料部分を分離することにより、材料がアプリケータ部分上に配置され、表面に付加する材料を内容していることにより、ハンドル部分から材料端部を分離するまで材料を材料端部内に密封収容しておくことができ、材料の相互汚染や劣化が防止され、また、ハンドル部分を、分離した材料端部内の材料に浸して使用するために、毛部分に付加する材料の量をより正確に調節することができ、さらに、全てが一体形成となっているため、製造コストが安価であり、また、狭い場所に多数量を収納でき、出荷が容易である。
【発明を実施するための最良の形態】
【００１８】
図１は、本発明のアプリケータパッケージの使用を示している。図１中では、アプリケータパッケージ１０はアプリケータ端部または部分１２を設けている。このアプリケータ端部または部分１２は、付加する材料を内容した別個の材料端部または部分１４内に配置されている。この例では、材料端部または部分１４内に内容されている歯科材料が患者口腔内の歯に付加されている。
【００１９】
図２Ａ〜２Ｃは本発明の実施形態を示す。図２Ａは、アプリケータ端部または部分１２と材料端部または部分１４を設けたアプリケータパッケージ１０を示している。アプリケータ端部または部分１２上には毛１６が形成されている。アプリケータ端部または部分１２はさらに、これ以外の任意のアプリケータ材料、例えば発砲体、ブラシブリストル、綿、あるいはこれ以外の同等のアプリケータ材料を備えていてよい。毛１６から屈曲可能なネック部２０にまで先細り部分１８が延びている。この屈曲可能なネック部２０により、先細り部分１８がハンドル部分２２に対して屈曲できるようになる。これにより、ともすれば届き難い範囲に容易に材料を付加することができる。ハンドル部分２２の他端には破損可能または壊れ易い部分２４が設けられている。壊れ易い部分２４は任意の弱化された範囲であってよく、これには例えば、材料端部または部分１４のハンドル部分２２からの容易な分離を促進するべく、ハンドル部分２２に設けられた刻み目ラインまたは切り込みが含まれる。壊れ易い部分２４はさらに、アプリケータ装置１０の外周を区切る溝であってもよい。材料端部または部分１４内には材料室２８が配置されている。材料室２８内には材料２６が内容されている。材料２６は、アプリケータ端部または部分１２から分配される任意の材料、例えば液体、ゲル、ペースト、粉体、その他同等の材料であってよい。この材料はまず、壊れ易い部分２４および端部シール３０を越えたハンドル部分２２の端部によって材料室２８内に密封される。アプリケータパッケージ１０は、押し出し成形または鋳造のような従来の任意の製造工程で作成でき、また、安価なプラスチック材料で作成されることが好ましい。材料２６はさらに、任意の従来技術によって材料室２８内に配置できる。この技術の一例は、単純に、材料２６を内容した後にプラグまたはシール３０で密封できる開口端部の付いた材料室２８を設けたアプリケータパッケージ１０を鋳造するというものである。端部シール３０は、材料室２８を効率的に密封する適所にて接着、熱または音波溶接することができる。
【００２０】
図２Ｂは、材料端部１４のハンドル部分２２からの分離を示す。壊れ易い部分２４により、材料端部１４をハンドル部分２２から容易に分離することができる。壊れ易い部分２４は刻み目ライン、溝、またはこれ以外の、容易に分離できる任意の弱化部分であってよい。材料端部１４とハンドル部分２２を単純に曲げることで、壊れ易い部分２４がポキッと折れるか破損する。その結果、材料端部１４の容器３２内に開口部または口３４が形成される。容器３２は、図２Ａに示した材料を内容した室２８を保持するためのものである。
【００２１】
図２Ｃは、材料端部１４に内容された材料をアプリケータ端部１２上に配置した状態を示す。アプリケータ端部１２の先細り部分１８上の毛１６が、容器３２の口または開口部３４を介して、容器内に内容された材料に浸されて、この材料によって覆われる。毛１６とネック部２０の間の先細り部分１８の長さは、容器３２の深さよりも長くなくてはならない。これにより、先細り部分１８がハンドル部分２２に対して角度を為して配置された場合でも、毛１６を設けたアプリケータ端部１２が容器３２の底部へと挿入される。付加する材料の量は容易に調節できる。さらに、アプリケータ端部１２を容器３２内に再度浸すことで、アプリケータ端部１２により多くの材料を付加することができ、その上、複数の患者間での相互感染について心配する必要がない。したがって、本発明により、分配する材料を内容した従来の自己内容型アプリケータよりも優れた調節が得られる。本発明は、材料を分配するためにバルク容器を使用する恩恵と、調節制度は低いが、一回量の材料を内容する、最小投薬単位使い捨てという他の特徴の恩恵とを組み合わせたものである。
【００２２】
図３Ａ、図３Ｂは本発明の別の実施形態を示す。この実施形態では、材料端部上に支持フランジが形成されており、材料端部を表面上で直立位置に自己支持できるようになっている。アプリケータ１１０はアプリケータ端部１１２と材料端部１１４を備えている。この実施形態では、アプリケータ端部１１２はブリストル１１６を備えている。しかし、任意の材料をアプリケータとして使用できることを理解するべきである。アプリケータ端部とハンドル１２２の間にネック部１２０が形成されている。ハンドル１２２の他端には壊れ易い部分１２４が設けられている。この壊れ易い部分１２４により、ハンドル部分１２２を材料端部１１４から分離することができる。材料端部１１４は、材料室１２８が内蔵された容器１３２を形成する。材料室１２８は材料１２６を内容している。端部シール１３０が、ハンドル部分１２２の他端において材料室１２８を密封する。これにより、使用前の材料を材料室１２８内に完全に密封する。
【００２３】
容器１３２の端部周囲には支持フランジまたは基部１３６が形成されている。材料端部１１４の直径はハンドル部分１２２よりも大きくてよい。材料端部１１４の直径は、予想される、内容する最小投薬単位量の材料を収容できる任意の便宜サイズに作成することができる。これに加え、ブリストル１１６を内蔵したアプリケータ端部１１２を使ってこの実施形態を説明してきたが、例証した任意の実施形態に、任意のアプリケータ材料の使用も可能であると理解されなければならないことは明白である。例えば、ブリストル１１６の代わりに、毛、発砲体、綿、またはこれ以外の任意のアプリケータ材料を使用してもよい。
【００２４】
図３Ｂは、材料端部１１４をハンドル部分１２２から分離させた後の、アプリケータ１１０の使用を示す。ハンドル部分１２２を材料端部１１４から分離させたら、材料端部１１４を表面１３８上に配置することができる。支持フランジまたは基部１３６によって、材料端部１１４を表面１３８上に安定させることができる。さらに、内容している材料１２６を落下または溢すことなく、開口した材料端部１１４を表面上に残すことができる。材料端部１１４をハンドル１２２から取り除くと、開口部１３４が形成される。次に、アプリケータ端部１１２とブリストル１１６を、開口部１３４を通して材料１２６に接するように配置することができる。その後、材料１２６を患者に付加することができる。
【００２５】
図４は、図３Ａ中の線４−４に沿った断面図である。容器１３２と、支持フランジまたは基部１３６との壁を示している。材料１２６は容器１３２に内容されている。
【００２６】
図３Ａ、図３Ｂ、図４に示す実施形態では、より多量の材料１２６を内容できるより大型の材料端部１１４を使用している。材料端部１１４の直径または側方寸法は、アプリケータ端部または部分１１２の直径または側方寸法よりも大きい。
【００２７】
図５は本発明の別の実施形態を示す。この実施形態では、第２の壊れ易い部分２４０が、アプリケータハンドル部分２２２と材料ハンドル部分２２１の間に配置されている。材料端部２１４は材料ハンドル部分２２１の付近に配置されている。さらに材料端部２１４は、壊れ易い部分２２４によって、材料ハンドル部分２２１から分離可能である。材料室２２８が材料端部２１４内に形成されており、壊れ易い部分２２４を破損後に接触可能になっている。アプリケータ端部２１２には、先細り部分２１８、ネック部２２０、毛２１６が設けられている。ネック部２２０により、幽霊線で示すように屈曲することができる。第２の壊れ易い部分２４０により、材料室２２８を開口する前にアプリケータ端部２１２を材料端部２１４から分離することで、材料ハンドル部分２２１を材料端部２１４から分離することができる。
【００２８】
図６は、ボール３１６端部を設けた別のアプリケータ端部３１２を示す。ボール３１６端部は、プラスチック材料の球体で形成されている。いくつかの用途では、ボールアプリケータが望ましい。一般には、液体を用いる用途にボールアプリケータを使用できる。ボールアプリケータは、材料を内容または保持するが、吸収性ではない。
【００２９】
図７は、穴４１７が形成されたループ４１６を備える別のアプリケータ端部４１２を示す。アプリケータ端部４１２は、吸収性ではないが液体を保持および付加することができる。
【００３０】
図８は、鎚矛形端部を設けた別のアプリケータ端部５１２を示す。この鎚矛形端部は、放射状に延びた先の尖った金属または突起部５１８を備える丸い端部５１６で形成されている。アプリケータ端部５１２は、擦りまたは磨き動作からの刺激効果と組み合わせて使用することが望ましい液体、および他の材料を保持する上で有利である。
【００３１】
本発明は、任意の材料を付加するために使用できるが、特に医療分野、特定的には歯科の分野に適用可能である。このアプリケータは製造が比較的安価であり、狭い場所に多量に収納可能であり、材料の最小量投薬に非常に適しており、相互汚染を防止することができる。このアプリケータは一回使い捨て式である。さらに、歯科材料、特に、ブラシ塗布または塗装可能な結合剤、シーラー、感度低下材料、止血剤、収斂剤、添加剤、および他の材料に非常に適している。
【００３２】
好ましい実施形態に関連して本発明を説明してきたが、当業者は、本発明の精神および範囲から逸脱しない限り、様々な変更を加えられることが理解できるはずである。
【産業上の利用可能性】
【００３３】
特に薬剤、特定的には歯科材料の分配に適用可能であり、一回投薬分の材料がアプリケータ内で一体形成され、使用時まで密封される。
【図面の簡単な説明】
【００３４】
【図１】本発明の、歯科材料の付加への使用を示す。
【図２Ａ】アプリケータパッケージの材料端部に内容された材料を示す部分断面図である。
【図２Ｂ】付加する材料を内容した材料端部の取り外しを示す。
【図２Ｃ】材料端部に内容された材料を、アプリケータパッケージのアプリケータ端部に配置する様子を示す。
【図３Ａ】より大型の材料端部と支持フランジを設けている本発明の別の実施形態を示す展開図である。
【図３Ｂ】アプリケータパッケージの材料端部を使用して、分離したアプリケータ端部上に材料を配置する様子を示す部分断面図である。
【図４】図３Ａ中の線４−４に沿った断面図である。
【図５】第２の壊れ易い部分を備えた本発明の別の実施形態を示す側面展開図である。
【図６】本発明の別の実施形態のアプリケータ端部を示す部分図である。
【図７】本発明の別の実施形態のアプリケータ端部を示す部分図である。
【図８】本発明の別の実施形態のアプリケータ端部を示す部分図である。
【参照符号の説明】
【００３５】
１０  アプリケータパッケージ
１１  歯
１２  アプリケータ端部
１４  材料端部
１６  毛
１８  先細り部分
２０  屈曲可能なネック部
２２  ハンドル部分
２４  壊れ易い部分
２６  材料
２８  材料室
３０  端部シール
３２  容器
３４  開口部
１１０  アプリケータ
１１２  アプリケータ端部
１１４  材料端部
１１６  ブリストル
１２０  ネック部
１２２  ハンドル
１２４  壊れ易い部分
１２６  材料
１２８  材料室
１３０  端部シール
１３２  容器
１３４  開口部
１３６  支持フランジ
１３８  表面
２１２  アプリケータ端部
２１４  材料端部
２１６  毛
２１８  先細り部分
２２０  ネック部
２２１  材料ハンドル部分
２２２  アプリケータハンドル部分
２２４  壊れ易い部分
２２８  材料室
２４０  第２の壊れ易い部分
３１２  アプリケータ端部
３１６  ボール
４１２  アプリケータ端部
４１６  ループ
４１７  穴
５１２  アプリケータ端部
５１６  丸い端部
５１８  突起部
【図１】
2006524103.tif 000003
【図２Ａ】
2006524103.tif 000004
【図２Ｂ】
2006524103.tif 000005
【図２Ｃ】
2006524103.tif 000006
【図３Ａ】
2006524103.tif 000007
【図３Ｂ】
2006524103.tif 000008
【図４】
2006524103.tif 000009
【図５】
2006524103.tif 000010
【図６】
2006524103.tif 000011
【図７】
2006524103.tif 000012
【図８】
2006524103.tif 000013
【国際調査報告】
2006524103.tif 000014